(57)【要約】【課題】汚れ、細菌の繁殖、悪臭の発生等のおそれがなく、組立と分解とが極めて容易であり、使用後のリサイクルも容易な避難所用間仕切りを提供する。【解決手段】多数枚の段ボールシート１と、それぞれ段ボールにより平面視略十字状に形成された多数本の柱状体３とよりなり、当該各段ボールシートは、一側縁に上下方向の突条を備えると共に他側縁に上下方向の溝を備え、各段ボールシートの突条は他の段ボールシートの溝に対し嵌脱自在となし、当該各柱状体は、水平方向に突出した四つの突縁の各々に上下方向の支持溝を備え、当該各段ボールシートにおける突条と溝とは当該各柱状体の支持溝に対し嵌脱自在となし、当該各段ボールシートの表面と当該各柱状体の表面とに光触媒層を形成する。【選択図】図１
0003188792.tif 000002
【実用新案登録請求の範囲】
【請求項１】
多数枚の段ボールシートと、それぞれ段ボールにより平面視略十字状に形成された多数本の柱状体とよりなり、
当該各段ボールシートは、一側縁に上下方向の突条を備えると共に他側縁に上下方向の溝を備え、各段ボールシートの突条は他の段ボールシートの溝に対し嵌脱自在となし、
当該各柱状体は、水平方向に突出した四つの突縁の各々に上下方向の支持溝を備え、当該各段ボールシートにおける突条と溝とは当該各柱状体の支持溝に対し嵌脱自在となし、
当該各段ボールシートの表面と当該各柱状体の表面とに光触媒層を形成し、
それぞれ複数枚の段ボールシートを該突条と溝とにより水平方向に相互に連結して複数枚の壁体を形成すると共に、各壁体の側縁における段ボールシートの突条又は溝をそれぞれ各柱状体の支持溝に嵌合してなることを特徴とする避難所用間仕切り。
【請求項２】
前記壁体の一部に段ボールシートを有しない出入り口を形成し、該出入り口に臨む二枚の段ボールシートの側縁における突条又は溝を前記柱状体の支持溝に嵌合させることにより該出入り口の両側に柱状体を配設したことを特徴とする請求項１に記載の避難所用間仕切り。
【考案の詳細な説明】
【技術分野】
【０００１】
本考案は、避難所用間仕切りに関するものであり、特に、地震、津波、台風、火災等の災害時に一時的に避難生活を行うための体育館等の避難所の床上に配設する避難所用間仕切りに係るものである。
【背景技術】
【０００２】
体育館等の広い避難所においては、避難者のプライバシーの保護等のために、しばしば避難所用間仕切りが避難所の床上に配設される。
【０００３】
このような避難所用間仕切りとしては、特開２００６−３２８８３４号公報に示すものが知られている。同公報に示す避難所用間仕切り（以下「従来の避難所用間仕切り」という。）は、多数枚の段ボールシートを金具等の連結具を介して連結してなるものである。
【先行技術文献】
【特許文献】
【０００４】
【特許文献１】特開２００６−３２８８３４号公報
【考案の概要】
【考案が解決しようとする課題】
【０００５】
上記従来の避難所用間仕切りは、避難者のプライバシーを保護するという点においては好ましいものであるが、特に多人数が避難生活を行う大型の避難所においては、該避難所用間仕切りがやがて汚れ、細菌が繁殖し、悪臭を発する等の問題が生ずる。また、従来の避難所用間仕切りは、多数枚の段ボールシートを金具等の連結具を介して連結してなるものであるため、組立作業及び分解作業に工具を要し、組立作業及び分解作業が面倒であると共に、使用後のリサイクルの際に金具等の連結具の処理が面倒である。
【０００６】
本考案は、従来の避難所用間仕切りにおける上述の如き問題を解決し、汚れ、細菌の繁殖、悪臭の発生等のおそれがなく、組立と分解とが極めて容易であり、使用後のリサイクルも容易な避難所用間仕切りを提供しようとしてなされたものである。  
【課題を解決するための手段】
【０００７】
上記課題を解決するために、本考案は、下記の避難所用間仕切りを提供する。
【０００８】
（１）多数枚の段ボールシートと、それぞれ段ボールにより平面視略十字状に形成された多数本の柱状体とよりなり、
当該各段ボールシートは、一側縁に上下方向の突条を備えると共に他側縁に上下方向の溝を備え、各段ボールシートの突条は他の段ボールシートの溝に対し嵌脱自在となし、
当該各柱状体は、水平方向に突出した四つの突縁の各々に上下方向の支持溝を備え、当該各段ボールシートにおける突条と溝とは当該各柱状体の支持溝に対し嵌脱自在となし、
当該各段ボールシートの表面と当該各柱状体の表面とに光触媒層を形成し、
それぞれ複数枚の段ボールシートを該突条と溝とにより水平方向に相互に連結して複数枚の壁体を形成すると共に、各壁体の側縁における段ボールシートの突条又は溝をそれぞれ各柱状体の支持溝に嵌合してなることを特徴とする避難所用間仕切り（請求項１）。
【０００９】
（２）前記壁体の一部に段ボールシートを有しない出入り口を形成し、該出入り口に臨む二枚の段ボールシートの側縁における突条又は溝を前記柱状体の支持溝に嵌合させることにより該出入り口の両側に柱状体を配設する（請求項２）。
【考案の効果】
【００１０】
［請求項１の考案］
請求項１の考案による避難所用間仕切りは、各段ボールシートの表面と各柱状体の表面とに光触媒層を形成しているため、汚れ、細菌の繁殖、悪臭の発生等が防止され、空気が浄化される。また、この避難所用間仕切りは、組立作業及び分解作業に工具、粘着テープ等を用いる必要がなく、組立作業及び分解作業が極めて容易である。更に、この避難所用間仕切りは段ボールのみにより形成されるため、使用後のリサイクルも容易である。
【００１１】
［請求項２の考案］
請求項２の考案による避難所用間仕切りは、出入り口を備え、該出入り口の
両側に柱状体を配設しているため、使い易いだけでなく、体裁面でも申し分ない。
【図面の簡単な説明】
【００１２】
【図１】図１は、本考案による避難所用間仕切りの一例を示す斜視図である。
【図２】図２は、段ボールシートの一部を拡大して示す平面図である。
【図３】図３は、段ボールシートの平面図である。
【図４】図４は、段ボールシート相互の連結状態を示す平面図である。
【図５】図５は、段ボールシートの正面図である。
【図６】図６は、段ボールシートと柱状体との連結状態を示す平面図である。
【考案を実施するための形態】
【００１３】
本考案による避難所用間仕切りは、多数枚の段ボールシート１、１・・・と、それぞれ段ボールにより平面視略十字状に形成された多数本の柱状体３、３・・・なる。
【００１４】
各段ボールシート１は、一側縁に上下方向の突条５を備えると共に他側縁に上下方向の溝７を備えている。各段ボールシート１の突条５は他の段ボールシート１の溝７に対し嵌脱自在となす。各段ボールシート１は、一例として三枚の段ボール１ａ、１ｂ、１ｃを相互に貼着してなるものである。
【００１５】
各柱状体３は、水平方向に突出した四つの突縁９、９、９、９の各々に上下方向の支持溝１１を備え、各段ボールシート１における突条５と溝７とは各柱状体３の支持溝１１に対し嵌脱自在となす。段ボールシート１１の突条５は、柱状体３の支持溝１１内に挿嵌する。段ボールシート１１の溝７を柱状体３の支持溝１１に嵌合する際には、段ボールシート１１の溝７を形成する一対の壁部７ａ、７ａの一方を柱状体３の支持溝１１内に挿嵌する。しかるときは、柱状体３の支持溝１１を形成する一対の壁部１１ａ、１１ａの一方が段ボールシート１１の溝７内に挿嵌することになる。
【００１６】
各段ボールシート１の表面と各柱状体３の表面とに光触媒層１３を形成する。光触媒層１３は、一例として、酸化チタンを各段ボールシート１の内外両表面と各柱状体３の全表面とにスプレーガンにより形成する。
【００１７】
本考案による避難所用間仕切りは、それぞれ複数枚の段ボールシート１、１・・・を該突条５と溝７とにより水平方向に相互に連結して複数枚の壁体１５、１５・・・を形成すると共に、各壁体１５の側縁における段ボールシート１の突条５又は溝７をそれぞれ各柱状体３の支持溝１１に嵌合してなる。
【００１８】
図１に示す事例においては、壁体１５の一部に段ボールシートを有しない出入り口１７を形成し、該出入り口１７に臨む二枚の段ボールシート１’、１’の側縁における突条５又は溝７を柱状体３の支持溝１１に嵌合させることにより該出入り口１７の両側に柱状体３、３を配設している。
【符号の説明】
【００１９】
１  段ボールシート
１ａ  段ボール
１ｂ  段ボール
１ｃ  段ボール
１’  段ボールシート
３  柱状体
５  突条
７  溝
７ａ  壁部
９  突縁
１１  支持溝
１１ａ  壁部
１３  光触媒層
１５  壁体
１７  出入り口
【図１】
0003188792.tif 000003
【図２】
0003188792.tif 000004
【図３】
0003188792.tif 000005
【図４】
0003188792.tif 000006
【図５】
0003188792.tif 000007
【図６】
0003188792.tif 000008